(57)【要約】【課題】  複製制御情報の変更によるコンテンツの不法複製を防止することができる手段を提供する。【解決手段】  ＡＶストリームデータ複製防止のためのＡＶストリーム処理システム及び処理方法にかかり、複製防止のためのＡＶ処理システムは、第１複写制御情報を含むＡＶコンテンツ情報領域と、第２複写制御情報を含むＡＶコンテンツ領域と、を含むＡＶストリームを受信するＡＶストリーム入力部と；前記第１複写制御情報と前記第２複写制御情報とが同一であるか否かを決定する決定部と；前記ＡＶストリームを処理するＡＶストリーム復号部と；を含むことを特徴とする【選択図】  図５
2004364314.tif 000002
【特許請求の範囲】
【請求項１】
第１複写制御情報を含むＡＶコンテンツ情報領域と、第２複写制御情報を含むＡＶコンテンツ領域と、を含むＡＶストリームを受信するＡＶストリーム入力部と；
前記第１複写制御情報と前記第２複写制御情報とが同一であるか否かを決定する決定部と；
前記ＡＶストリームを処理するＡＶストリーム復号部と；
を含むことを特徴とするＡＶストリームの処理システム。
【請求項２】
前記決定部は、前記第１複写制御情報の複写制御モード情報と前記第２複写制御情報の複写制御モード情報とが同一であるか否かを決定することを特徴とする請求項１に記載のＡＶストリーム処理システム。
【請求項３】
前記ＡＶストリーム復号部は、前記第１複写制御情報と前記第２複写制御情報とが同一ではない場合、前記ＡＶストリームのコンテンツを復号しないことを特徴とする請求項１に記載のＡＶストリーム処理システム。
【請求項４】
前記ＡＶストリーム復号部は、前記第１複写制御情報と前記第２複写制御情報とが同一ではない場合、前記ＡＶストリームのコンテンツを復号するための復号キーを生成しないことを特徴とする請求項１に記載のＡＶストリームの処理システム。
【請求項５】
前記ＡＶストリーム復号部は、前記第１複写制御情報と前記第２複写制御情報とが同一ではない場合、前記第１複写制御情報と前記第２複写制御情報との中で順位（ｐｒｉｏｒｉｔｙ）が高い複写制御情報のモードにしたがって前記ＡＶストリームのコンテンツを復号処理することを特徴とする請求項１に記載のＡＶストリームの処理システム。
【請求項６】
前記第１複写制御情報と前記第２複写制御情報とが同一ではない場合、前記第２複写制御情報が前記第１複写制御情報より優先順位（Ｐｒｉｏｒｉｔｙ）を有することを特徴とする請求項５に記載のＡＶストリームの処理システム。
【請求項７】
前記第１複写制御情報と前記第２複写制御情報とが同一ではない場合、前記第１複写制御情報が前記第２複写制御情報より優先順位（Ｐｒｉｏｒｉｔｙ）を有することを特徴とする請求項５に記載のＡＶストリームの処理システム。
【請求項８】
前記複写制御情報は、所定のビット情報によって、多数の複写制御情報モードを示すのに、前記モードは、コンテンツは暗号化されており、複写絶対禁止の第１モードと、コンテンツは暗号化されており、複写は１回可能であるが、複写後には前記第１モードに変更される第２モードと、コンテンツは暗号化されているが、複写無制限の第３モードと、コンテンツが暗号化されず、無制限に複写可能な、第４モードと、を含むことを特徴とする請求項１に記載のＡＶストリームの処理システム。
【請求項９】
前記ＡＶストリーム復号部は、コンテンツを復号化するための復号キーを生成する復号キー生成部と；
前記復号キーを利用して前記コンテンツを復号するコンテンツ解釈部と；
前記第１複写制御情報と前記第２複写制御情報とが同一ではない場合、復号キーを生成しなく、またはコンテンツを復号しないために、前記復号キー生成部と前記コンテンツ解釈部とを制御し、前記第１複写制御情報と前記第２複写制御情報とが同一な場合、前記複写制御モードにしたがって前記復号キー生成部と前記コンテンツ解釈部とを制御する制御部と；
を含むことを特徴とする請求項８に記載のＡＶストリーム処理システム。
【請求項１０】
前記復号キー生成部は、前記第２複写制御情報を含む情報を利用して、復号キーを生成することを特徴とする請求項９に記載のＡＶストリーム処理システム。
【請求項１１】
前記制御部は、前記第１モード、前記第２モード及び前記第３モードである複写制御モードに対する応答として、前記コンテンツを復号するための復号キーを生成するために復号キー生成部を制御し、前記第４モードである複写制御モードに対する応答としてコンテンツを出力するために前記コンテンツ解釈部を制御することを特徴とする請求項９に記載のＡＶストリーム処理システム。
【請求項１２】
前記第１モード、前記第２モード及び前記第３モードである複写制御モードである場合には、復号されたコンテンツを、前記第４モードである複写制御モードである場合には復号されないコンテンツを貯蔵する貯蔵部をさらに含むことを特徴とする請求項１１に記載のＡＶストリーム処理システム。
【請求項１３】
前記第１モード、前記第２モード及び前記第３モードである複写制御モードである場合には、復号されたコンテンツを、前記第４モードである複写制御モードである場合には復号されないコンテンツをディスプレイするディスプレイ部をさらに含むことを特徴とする請求項に１１記載のＡＶストリーム処理システム。
【請求項１４】
前記決定部は、前記第１複写制御情報を貯蔵する貯蔵部と、前記第１複写制御情報の複写制御モードと前記第２複写制御情報の複写制御モードとを比較する比較部と、を含むことを特徴とする請求項８に記載のＡＶストリーム処理システム。
【請求項１５】
前記復号部は、
前記第１複写制御情報と前記第２複写制御情報とが同一な場合、前記複写制御モードに対応する信号を出力し、前記第１複写制御情報と前記第２複写制御情報とが同一ではない場合、停止信号を発生させるのに、前記停止信号はＡＶストリームが再生されていない場合にはキー生成部と、ＡＶストリームが再生されている場合にはコンテンツ解釈部と伝達されるようにする制御部と、
前記第１モード、前記第２モード及び前記第３モードに対応する信号に対してはコンテンツを復号するために前記停止信号に対しては復号キーを生成しないキー生成部と、
復号キーを利用してコンテンツを復号し、前記第４モードに対応する信号に対しては復号されないコンテンツを出力し、前記停止信号に対してはコンテンツを復号しないコンテンツ解釈部と、を含むことを特徴とする請求項８に記載のＡＶストリーム処理システム。
【請求項１６】
前記ＡＶストリーム復号部は、前記第１複写制御情報と前記第２複写制御とが同一ではない場合に、前記ＡＶコンテンツを処理しないことを特徴とする請求項１に記載のＡＶストリーム処理システム。
【請求項１７】
前記ＡＶストリーム復号部は、前記第１複写制御情報と前記第２複写制御とが同一ではない場合、前記第１複写制御情報と前記第２複写制御情報との中でさらに強く複写を防止するようにする複写制御情報を利用して、前記ＡＶコンテンツを処理することを特徴とする請求項１に記載のＡＶストリーム処理システム。
【請求項１８】
コンテンツ情報領域とコンテンツ領域とを含むＡＶストリームを受信する受信手段と；
前記ＡＶストリームを処理する処理手段と；
前記コンテンツ情報領域の複写制御情報が変更されたか否かを決定する決定手段と；
を含むＡＶストリーム処理システム。
【請求項１９】
前記処理手段は、前記複写制御情報が変更された場合、前記ＡＶストリームを処理しないことを特徴とする請求項１８に記載のＡＶストリーム処理システム。
【請求項２０】
前記処理手段は、前記コンテンツ情報領域の複写制御情報が変更された場合に、前記コンテンツ情報領域の複写制御情報と前記コンテンツ領域の複写制御情報との中で優先順位（Ｐｒｉｏｒｉｔｙ）が高い複写制御情報を利用して前記ＡＶストリームを処理することを特徴とする請求項１８に記載のＡＶストリーム処理システム。
【請求項２１】
第１複写制御情報を含むＡＶコンテンツ情報領域と第２複写制御情報を含むＡＶコンテンツ領域とを含むＡＶストリームを受信するための受信手段と；
前記第１複写制御情報と前記第２複写制御情報とを抽出して、両情報が同一であるか否かを判別するための判別手段と；
前記ＡＶストリームを処理する処理手段と；
を含むことを特徴とするＡＶストリーム処理システム。
【請求項２２】
第１複写制御情報を含むＡＶコンテンツ情報領域と前記第２複写制御情報を含むＡＶコンテンツ領域とを含むＡＶストリームを受信するＡＶストリーム入力部と；
前記第１複写制御情報と前記第２複写制御情報とを比較する決定部と；
前記第１複写制御情報と前記第２複写制御情報とが同一ではない場合に、前記第１複写制御情報と前記第２複写制御情報との中で優先順位（Ｐｒｉｏｒｉｔｙ）が高い複写制御情報を利用して前記ＡＶストリームを処理したり処理しない復号部と；
を含むことを特徴とするＡＶストリーム処理システム。
【請求項２３】
第１複写制御情報を含むＡＶコンテンツ情報領域と第２複写制御情報を含むＡＶコンテンツ領域とを含むＡＶストリームを受信する受信部と；
前記第１複写制御情報を前記第２複写制御情報と比較して、変更されたか否かを決定する決定部と；
前記ＡＶストリームを処理する復号部と；
を含むことを特徴とするＡＶストリーム処理システム。
【請求項２４】
コンテンツ情報領域とコンテンツ領域とを含むＡＶストリームから前記コンテンツ情報領域の第１複写制御情報と前記コンテンツ領域の第２複写制御情報とを抽出する抽出部と；
前記第１複写制御情報と前記第２複写制御情報とが同一であるか否かを決定する決定部と；
を含むＡＶストリームの複写制御のための装置。
【請求項２５】
前記決定部は、前記第１複写制御情報に対応する複写制御モード情報と前記第２複写制御情報に対応する複写制御モード情報とが同一であるか否かを決定することを特徴とする請求項２４に記載のＡＶストリームの複写制御のための装置。
【請求項２６】
ＡＶストリームコンテンツ情報領域から複写制御情報を抽出する抽出部と、
前記複写制御情報が変更されたか否かを決定する決定部と、
を含むＡＶストリームの複写制御のための装置。
【請求項２７】
前記決定部は、前記第１複写制御情報が前記第２複写制御情報と比較して変更されたか否かを決定することを特徴とする請求項２４に記載のＡＶストリームの複写制御のための装置 。
【請求項２８】
コンテンツ情報領域とコンテンツ領域とを含むＡＶストリームから前記コンテンツ情報領域の第１複写制御情報と前記コンテンツ領域の第２複写制御情報とを抽出する抽出部と；
前記第１複写制御情報と前記第２複写制御情報とが同一であるか否かを決定するために、前記第１複写制御情報と前記第２複写制御情報とを比較する比較部と；
を含むＡＶストリームの複写制御のための装置。
【請求項２９】
コンテンツ情報領域とコンテンツ領域とを含むＡＶストリームから前記コンテンツ情報領域の第１複写制御情報と前記コンテンツ領域の第２複写制御情報とを抽出する抽出部と；
前記第１複写制御情報と前記第２複写制御情報とが同一ではない場合、前記第１複写制御情報と前記第２複写制御情報との間に優先順位（Ｐｒｉｏｒｉｔｙ）を設定する決定部と；
を含むＡＶストリームの複写制御のための装置。
【請求項３０】
前記決定部は、前記第１複写制御情報と前記第２複写制御情報とが同一ではない場合、前記第１複写制御情報と前記第２複写制御情報との中でさらに強く複写を防止するようにする複写制御情報を決定することを特徴とする請求項２９に記載のＡＶストリームの複写制御のための装置。
【請求項３１】
第１複写制御情報を含むＡＶコンテンツ情報領域と第２複写制御情報を含むＡＶコンテンツ領域とを含むＡＶストリームを受信する段階と；
前記第１複写制御情報と前記第２複写制御情報とが同一であるか否かを決定する段階と；
前記決定段階により決定された結果にしたがって前記ＡＶストリームを処理する段階と；
を含むＡＶストリームの処理方法。
【請求項３２】
前記決定段階は、前記第１複写制御情報の複写制御モード情報と前記第２複写制御情報の複写制御モード情報とが同一であるか否かを決定する段階を含むことを特徴とする請求項３１に記載のＡＶストリームの処理方法。
【請求項３３】
前記処理段階は、前記第１複写制御情報と前記第２複写制御情報とが同一である場合、前記複写制御モード情報にしたがって前記ＡＶストリームを処理する段階を含むことを特徴とする請求項３２に記載のＡＶストリームの処理方法。
【請求項３４】
前記処理段階は、前記第１複写制御情報と前記第２複写制御情報とが同一ではない場合、前記ＡＶストリームのコンテンツを復号しない段階を含むことを特徴とする請求項３１に記載のＡＶストリームの処理方法。
【請求項３５】
前記処理段階は、前記第１複写制御情報と前記第２複写制御情報とが同一ではない場合、ＡＶストリームのコンテンツを復号するための復号キーを生成しない段階を含むことを特徴とする請求項３１に記載のＡＶストリームの処理方法。
【請求項３６】
前記処理段階は、前記第１複写制御情報と前記第２複写制御情報とが同一ではない場合、前記第１複写制御情報と前記第２複写制御情報との中でさらに強く複写を防止するようにする複写制御情報を利用して前記ＡＶストリームを処理する段階を含むことを特徴とする請求項３１に記載のＡＶストリームの処理方法。
【請求項３７】
前記処理段階は、前記第１複写制御情報と前記第２複写制御情報とが同一ではない場合、前記第１複写制御情報と前記第２複写制御情報との中でいずれか一つを利用して、前記ＡＶストリームを処理したり前記ＡＶストリームを処理しない段階を含むことを特徴とする請求項３１に記載のＡＶストリームの処理方法。
【請求項３８】
前記処理段階は、前記第１複写制御情報と前記第２複写制御情報とが同一ではない場合、前記ＡＶストリームが再生している場合には、前記ＡＶストリームのコンテンツを復号せず、前記ＡＶストリームが再生していない場合には、前記ＡＶストリームのコンテンツを復号するための復号キーを発生させない段階を含むことを特徴とする請求項に３１記載のＡＶストリームの処理方法。
【請求項３９】
前記ＡＶストリームの処理が禁止されることを示すメッセージを示す段階をさらに含むことを特徴とする請求項３１に記載のＡＶストリームの処理方法。
【請求項４０】
コンテンツ情報領域とコンテンツ領域とを含むＡＶストリームを受信する段階と；
前記コンテンツ情報領域の複写制御情報が変更されたか否かを決定する段階と；
前記決定段階により決定された結果にしたがって前記ＡＶストリームを処理する段階と；
を含むＡＶストリームの処理方法。
【請求項４１】
前記処理段階は、前記複写制御情報が変更された場合、前記ＡＶストリームを処理しない段階を含むことを特徴とする請求項４０に記載のＡＶストリームの処理方法。
【請求項４２】
前記処理段階は、前記コンテンツ情報領域の複写制御情報が変更された場合に、前記コンテンツ情報領域の複写制御情報と前記コンテンツ領域の複写制御情報との中で優先順位（Ｐｒｉｏｒｉｔｙ）が高い複写制御情報を利用して前記ＡＶストリームを処理する段階を含むことを特徴とする請求項に４０記載のＡＶストリームの処理方法。
【請求項４３】
第１複写制御情報を含むＡＶコンテンツ情報領域と第２複写制御情報を含むＡＶコンテンツ領域とを含むＡＶストリームを受信する段階と；
前記第１複写制御情報と前記第２複写制御情報とを比較する段階と；
前記第１複写制御情報と前記第２複写制御情報とが同一ではない場合、前記第１複写制御情報と前記第２複写制御情報との順位（Ｐｒｉｏｒｉｔｙ）が高い複写制御情報に対応して前記ＡＶストリームを処理する段階と；
を含むＡＶストリームの処理方法。
【請求項４４】
第１複写制御情報を含むＡＶコンテンツ情報領域と第２複写制御情報を含むＡＶコンテンツ領域とを含むＡＶストリームを受信する段階と；
前記第１複写制御情報が前記第２複写制御情報と比較して変更されたか否かを決定する段階と；
前記決定段階により決定された結果にしたがってＡＶストリームを処理する段階と；
を含むＡＶストリームの処理方法。
【請求項４５】
コンテンツ情報領域とコンテンツ領域とを含むＡＶストリームから前記コンテンツ情報領域の第１複写制御情報と前記コンテンツ領域の第２複写制御情報とを抽出する抽出段階と；
前記第１複写制御情報が前記第２複写制御情報が同一であるか否かを決定する段階と；
を含むＡＶストリームの処理方法。
【請求項４６】
前記決定する段階は、前記第１複写制御情報に対応する複写制御モード情報と前記第２複写制御情報に対応する複写制御モード情報とが同一であるか否かを決定する段階であることを特徴とする請求項４５に記載のＡＶストリームの処理方法。
【請求項４７】
ＡＶストリームのコンテンツ情報領域から複写制御情報を抽出する段階と；
前記複写制御情報が変更された否かを決定する段階と；
を含むＡＶストリームの処理方法。
【請求項４８】
前記決定段階は、前記コンテンツ情報領域の複写制御情報が前記ＡＶストリームのコンテンツ領域の複写制御情報と比較して変更されたか否かを決定する段階を含むことを特徴とする請求項４７に記載のＡＶストリームの処理方法。
【請求項４９】
コンテンツ情報領域とコンテンツ領域とを含むＡＶストリームから前記コンテンツ情報領域の第１複写制御情報と前記コンテンツ領域の第２複写制御情報とを抽出する段階と；
前記第１複写制御情報と前記第２複写制御情報とが同一であるか否かを決定するために、前記第１複写制御情報と前記第２複写制御情報とを比較する段階と；
を含むＡＶストリーム処理方法。
【請求項５０】
コンテンツ情報領域とコンテンツ領域とを含むＡＶストリームから前記コンテンツ情報領域の第１複写制御情報と前記コンテンツ領域の第２複写制御情報とを比較する段階と；
前記第１複写制御情報と前記第２複写制御情報とが同一ではない場合、前記第１複写制御情報と前記第２複写制御情報との中で優先順位（Ｐｒｉｏｒｉｔｙ）を設定する段階と；
を含むＡＶストリームの処理方法。
【請求項５１】
前記設定段階は、前記第１複写制御情報と前記第２複写制御情報との中でさらに強く複写を防止するようにする複写制御情報を利用して、前記ＡＶストリームを処理する段階を含むことを特徴とする請求項５０に記載のＡＶストリームの処理方法。
【請求項５２】
前記段階を行うための、コンピュータにより実行可能な命令を含むことを特徴とする請求項３１に記載のコンピュータ記録媒体。
【請求項５３】
前記段階を行うための、コンピュータにより実行可能な命令を含むことを特徴とする請求項４０に記載のコンピュータ記録媒体。
【請求項５４】
前記段階を行うための、コンピュータにより実行可能な命令を含むことを特徴とする請求項４３に記載のコンピュータ記録媒体。
【請求項５５】
前記段階を行うための、コンピュータにより実行可能な命令を含むことを特徴とする請求項４４に記載のコンピュータ記録媒体。
【請求項５６】
前記段階を行うための、コンピュータにより実行可能な命令を含むことを特徴とする請求項４５に記載のコンピュータ記録媒体。
【請求項５７】
前記段階を行うための、コンピュータにより実行可能な命令を含むことを特徴とする請求項４７に記載のコンピュータ記録媒体。
【請求項５８】
前記段階を行うための、コンピュータにより実行可能な命令を含むことを特徴とする請求項４９に記載のコンピュータ記録媒体。
【請求項５９】
前記段階を行うための、コンピュータにより実行可能な命令を含むことを特徴とする請求項５０に記載のコンピュータ記録媒体。
【請求項６０】
前記決定部は、前記第１複写制御情報と前記第２複写制御情報とが同一ではない場合、前記第１複写制御情報と前記第２複写制御情報との間に優先順位（Ｐｒｉｏｒｉｔｙ）を設定することを特徴とする請求項５に記載のＡＶストリームの処理システム。
【請求項６１】
前記決定部は、前記第１複写制御情報と前記第２複写制御情報とが同一ではない場合、前記ＡＶストリームを処理するための情報として前記第１複写制御情報を設定することを特徴とする請求項２９に記載のＡＶストリームの複写制御のための装置。
【請求項６２】
前記決定部は、前記第１複写制御情報と前記第２複写制御情報とが同一ではない場合、前記ＡＶストリームを処理するための情報として前記第２複写制御情報を設定することを特徴とする請求項２９に記載のＡＶストリームの複写制御のための装置。
【請求項６３】
前記処理段階は、前記第１複写制御情報と前記第２複写制御情報とが同一ではない場合、前記第２複写制御情報を利用して前記ＡＶストリームのコンテンツを処理することを特徴とする請求項３１に記載のＡＶストリームの処理方法。
【請求項６４】
前記処理段階は、前記第１複写制御情報と前記第２複写制御情報とが同一ではない場合、前記第１複写制御情報を利用して前記ＡＶストリームのコンテンツを処理することを特徴とする請求項３１に記載のＡＶストリームの処理方法。
【請求項６５】
前記第１複写制御情報と前記第２複写制御情報とが同一ではない場合、前記第２複写制御情報が前記第１複写制御情報に対して優先順位（Ｐｒｉｏｒｉｔｙ）を有するように設定する段階をさらに含み、
前記処理段階は、前記第２複写制御情報を利用して、前記ＡＶストリームのコンテンツを処理する段階であることを特徴とする請求項３１に記載のＡＶストリームの処理方法。
【請求項６６】
前記第１複写制御情報と前記第２複写制御情報とが同一ではない場合、前記第１複写制御情報が前記第２複写制御情報に対して優先順位（Ｐｒｉｏｒｉｔｙ）を有するように設定する段階をさらに含み、
前記処理段階は、前記第１複写制御情報を利用して、前記ＡＶストリームのコンテンツを処理する段階であることを特徴とする請求項３１に記載のＡＶストリームの処理方法。
【請求項６７】
前記設定する段階は、前記第１複写制御情報と前記第２複写制御情報とが同一ではない場合、前記ＡＶストリームを処理するための情報として、前記第１複写制御情報を設定する段階であることを特徴とする請求項５０に記載のＡＶストリームの処理方法。
【請求項６８】
前記設定段階は、前記第１複写制御情報と前記第２複写制御情報とが同一ではない場合、前記ＡＶストリームを処理するための情報として前記第２複写制御情報を設定する段階であることを特徴とする請求項５０に記載のＡＶストリームの処理方法。
【発明の詳細な説明】
【技術分野】
【０００１】
本発明は、データの複製防止に係り、より詳細には、オーディオ／ビデオ（Ａｕｄｉｏ／Ｖｉｄｅｏ、以下‘ＡＶ’と言う）ストリームに含まれた複写制御情報（Ｃｏｐｙ Ｃｏｎｔｒｏｌ Ｉｎｆｏｒｍａｔｉｏｎ；ＣＣＩ）を利用して、ＡＶコンテンツが不法に複製されることを防止するシステム及び防止する方法に関する。
【背景技術】
【０００２】
一般に、ＡＶストリームは、コンテンツの複写制御状態（Ｃｏｐｙ Ｃｏｎｔｒｏｌ Ｓｔａｔｕｓ）を示す複写制御情報を含んでいる。このような複写制御情報は、ＡＶストリームを処理するシステム、例えばハードウェアまたはソフトウェアにより具現されるレコーダー等のような装置（以下、‘ＡＶ装置’と言う）が電送媒体から受信されたＡＶストリームに含まれたコンテンツを複製することができる権限があるか否かを示し、前記ＡＶ装置は、このような複写制御情報値にしたがってコンテンツを復号（Ｄｅｃｒｙｐｔｉｏｎ）するか否かを決定する。
【０００３】
複写制御情報は、ＡＶストリーム内で、所定のビット（ｂｉｔ）に示され、一般に、２ビットのコードに表示され、［表１］に示すように、四つのモードに設定することができる。複写制御情報として構成することができるモードを［表１］に詳しく示す。
【０００４】
【表１】
2004364314.tif 000003
【０００５】
図１は、ＡＶストリームの概略的な構造を示す例示図であり、ＡＶストリーム１００は、コンテンツの情報を含む情報フィールド（Ｉｎｆｏｒｍａｔｉｏｎ Ｆｉｅｌｄ）と、コンテンツを含むコンテンツフィールド（Ｃｏｎｔｅｎｔ Ｆｉｅｌｄ）と、を含む。
【０００６】
情報フィールドは、ＡＶ装置の複製制御のために使用される複写制御情報領域１１０とＡＶストリームに含まれた色々なコンテンツ情報とが含まれ、コンテンツフィールドは、‘Ｃｏｎｔｅｎｔ_ｕｎｉｔ_１’、‘Ｃｏｎｔｅｎｔ_ｕｎｉｔ_２’、・・・‘Ｃｏｎｔｅｎｔ_ｕｎｉｔ_ｎ’等のようにｎ個のサブ−ユニット領域に分かれる。
【０００７】
情報フィールドに含まれた複写制御情報（以下、‘第１複写制御情報’と言う）領域１１０は、前記サブ−ユニット数だけ分かれ、それぞれの分かれた領域には前記サブ−ユニットに対して‘１１’、‘１０’等のような複写制御情報値と前記サブ−ユニットの位置を示す位置情報とを含む。この時、前記位置情報は、前記サブ−ユニットに対する物理的なまたは論理的なアドレスであることも、前記サブ−ユニットのコンテンツが再生される時間情報であることもできる。図１で前記位置情報を‘ｕｎｉｔ_１_ｐｔｒ’、‘ｕｎｉｔ_２_ｐｔｒ’、・・・‘ｕｎｉｔ_ｎ_ｐｔｒ’と示している。
【０００８】
また、前記サブ−ユニットは、１つ以上の領域に分かれる。例えば、コンテンツフィールドに含まれたサブ−ユニット‘Ｃｏｎｔｅｎｔ_ｕｎｉｔ_２’１２０は、‘Ｓｕｂ_２_１’、‘Ｓｕｂ_２_２’、‘Ｓｕｂ_２_３’のように三つの小領域に分かれることができ、前記小領域毎に固有の複写制御情報１３０を含むことができる。
【０００９】
コンテンツフィールドに含まれたそれぞれのサブ−ユニットに含まれた複写制御情報（以下、‘第２複写制御情報’と言う）は、主にコンテンツを復号する復号キーを生成するために使用されるので、変調されれば、コンテンツを復号することができない。しかし、第１複写制御情報１１０は、複製動作の制御のために使用されるので、第３者が前記第１複写制御情報１１０を変更することにより、不法に複製することができる。
【００１０】
図２は、コンテンツの不法複製を防止するための従来のＡＶストリームの複製防止システムを示す例示図である。
暗号化されたＡＶストリームを復号するためのＡＶストリーム複製防止システム２００は、ＡＶストリーム受信部２１０と、制御部２２０と、復号キー生成部２３０と、コンテンツ解釈部２４０と、を含む。前記ＡＶストリーム受信部２１０は、ＡＶストリームデータを受信する。前記制御部２２０は、ＡＶ装置の動作のための制御信号が外部から入力される。この時、前記制御信号には、コンテンツ再生（ｐｌａｙ）命令信号、コンテンツ複製（ｃｏｐｙ）命令信号等が含まれる。制御部２２０は、前記ＡＶストリーム受信部２１０から、図１に示す第１複写制御情報１１０が伝達され、前記復号キー生成部２３０と前記コンテンツ解釈部２４０に前記第１複写制御情報１１０に対応する制御信号を送る。
【００１１】
復号キー生成部２３０は、制御部２２０から復号キーの生成命令が入力されると、前記ＡＶストリーム受信部２１０から第２複写制御情報とキー生成のための他の情報が入力されて、復号キーを生成し、生成された復号キーを前記コンテンツ解釈部２４０に伝達する。前記コンテンツ解釈部２４０は、前記復号キー生成部２３０から受信された復号キーを利用して、前記ＡＶストリーム受信部２１０が受信したＡＶストリームに含まれたコンテンツフィールドを復号し、復号されたＡＶコンテンツを出力装置２５０に電送する。
【００１２】
ＡＶストリームを復号するための従来のＡＶストリームの処理システムの動作は次の通りである。
ＡＶストリーム受信部２１０は、ＡＶストリームを受信し、制御部２２０に前記ＡＶストリームに含まれた図１に示す第１複写制御情報１１０を伝達する。
【００１３】
前記制御部２２０は、外部から装置の動作制御信号を受信し、前記制御信号がコンテンツの複製命令信号である場合には、前記第１複写制御情報１１０から前記ＡＶストリーム受信部２１０から受信したＡＶストリームのＡＶコンテンツの暗号化状態を確認する。
【００１４】
この時、前記第１複写制御情報１１０の値が‘copy free’である場合には、復号キーを生成する必要がないので、前記制御部２２０は、前記ＡＶストリーム受信部２１０から受信されたＡＶストリームがコンテンツ解釈部２４０を通じてそのまま出力装置２５０に電送されるようにする。
【００１５】
また、前記第１複写制御情報１１０の値が‘no more copy or copy never’、‘copy free but encrypted’または‘copy one generation’である場合には、復号をしなければならない。まず、復号キー生成部２３０は、制御部２２０から前記第１複写制御情報１１０が伝達され、ＡＶストリーム受信部２１０から第２複写制御情報とキー生成のための他の情報が入力されて復号キーを生成し、生成された復号キーをコンテンツ解釈部２４０に伝達する。また、前記コンテンツ解釈部２４０は、復号キー生成部から伝達された復号キーを利用して前記ＡＶストリーム受信部２１０から受信されたＡＶストリームに含まれたコンテンツフィールドを復号し、復号されたＡＶコンテンツを貯蔵媒体やディスプレイ器機に該当する出力装置２５０に電送する。
【００１６】
従来のＡＶストリームの複製防止システム２００は、ＡＶ装置のコンテンツの複製権限を確認するため、第１複写制御情報を使用しているが、前記第１複写制御情報は不法複製を目的として容易に変調される恐れがあるという問題がある。即ち、前記［表１］の‘no more copy or copy never１１’または‘copy one generation１０’が‘copy free but encrypted０１’に変更され、‘no more copy or copy never１１’が‘copy one generation１０’に変更されて、ＡＶストリーム受信部２１０に受信されて、制御部２２０がＡＶストリームの複製可否を間違いに確認することにより、該当コンテンツの不法複製が容易に行われる恐れがあるという問題が発生する。
【発明の開示】
【発明が解決しようとする課題】
【００１７】
本発明の目的は、前述した問題点を解決するため、複写制御情報の変調を通じるコンテンツの不法複製を防止するために、ＡＶストリーム処理システム内に複写制御情報を保護することができる構造を提示することにより、複写制御情報の変調を感知し、変調が感知された場合にはこれに対応することにより、コンテンツを不法に複製することを防止することができる方法を提供することである。
【課題を解決するための手段】
【００１８】
前記目的を達成するための本発明は、第１複写制御情報を含むＡＶコンテンツ情報領域と、第２複写制御情報を含むＡＶコンテンツ領域と、を含むＡＶストリームを受信するＡＶストリーム入力部と；前記第１複写制御情報と前記第２複写制御情報とが同一であるか否かを決定する決定部と；前記ＡＶストリームを処理するＡＶストリーム復号部と；を含む。
前記決定部は、前記第１複写制御情報の複写制御モード情報と前記第２複写制御情報の複写制御モード情報とが同一であるか否かを決定することが好ましい。
【００１９】
前記ＡＶストリーム復号部は、前記第１複写制御情報と前記第２複写制御情報とが同一ではない場合、前記ＡＶストリームのコンテンツを復号しないことが好ましい。
前記ＡＶストリーム復号部は、前記第１複写制御情報と前記第２複写制御情報とが同一ではない場合、前記ＡＶストリームのコンテンツを復号するための復号キーを生成しないことが好ましい。
【００２０】
前記ＡＶストリーム復号部は、前記第１複写制御情報と前記第２複写制御情報とが同一ではない場合、前記第１複写制御情報と前記第２複写制御情報との中で順位（ｐｒｉｏｒｉｔｙ）が高い複写制御情報のモードにしたがって前記ＡＶストリームのコンテンツを復号処理することが好ましい。この時、前記第１複写制御情報と前記第２複写制御情報とが同一ではない場合、前記第２複写制御情報が前記第１複写制御情報より優先順位（Ｐｒｉｏｒｉｔｙ）を有したり、または、前記第１複写制御情報が前記第２複写制御情報より優先順位（Ｐｒｉｏｒｉｔｙ）を有することを特徴とする。また、前記決定部は、前記第１複写制御情報と前記第２複写制御情報とが同一ではない場合、前記第１複写制御情報と前記第２複写制御情報との間に優先順位（Ｐｒｉｏｒｉｔｙ）を設定することを特徴とする。
【００２１】
前記複写制御情報は、所定のビット情報によって、多数の複写制御情報モードを示すのに、前記モードは、コンテンツは暗号化されており、複写絶対禁止の第１モードと、コンテンツは暗号化されており、複写は１回可能であるが、複写後には前記第１モードに変更される第２モードと、コンテンツは暗号化されているが、複写無制限の第３モードと、コンテンツが暗号化されず、無制限に複写可能な、第４モードと、を含むことが好ましい。
【００２２】
前記ＡＶストリーム復号部は、コンテンツを復号化するための復号キーを生成する復号キー生成部と；前記復号キーを利用して前記コンテンツを復号するコンテンツ解釈部と；前記第１複写制御情報と前記第２複写制御情報とが同一ではない場合、復号キーを生成しなく、またはコンテンツを復号しないために、前記復号キー生成部と前記コンテンツ解釈部とを制御し、前記第１複写制御情報と前記第２複写制御情報とが同一な場合、前記複写制御モードにしたがって前記復号キー生成部と前記コンテンツ解釈部とを制御する制御部と；を含むことが好ましい。
前記復号キー生成部は、前記第２複写制御情報を含む情報を利用して、復号キーを生成することが好ましい。
【００２３】
前記制御部は、前記第１モード、前記第２モード及び前記第３モードである複写制御モードに対する応答として、前記コンテンツを復号するための復号キーを生成するために復号キー生成部を制御し、前記第４モードである複写制御モードに対する応答としてコンテンツを出力するために前記コンテンツ解釈部を制御することが好ましい。この時、前記第１モード、前記第２モード及び前記第３モードである複写制御モードである場合には、復号されたコンテンツを、前記第４モードである複写制御モードである場合には復号されないコンテンツを貯蔵する貯蔵部をさらに含むことが好ましい。また、前記第１モード、前記第２モード及び前記第３モードである複写制御モードである場合には、復号されたコンテンツを、前記第４モードである複写制御モードである場合には復号されないコンテンツをディスプレイするディスプレイ部をさらに含むことが好ましい。
【００２４】
前記決定部は、前記第１複写制御情報を貯蔵する貯蔵部と、前記第１複写制御情報の複写制御モードと前記第２複写制御情報の複写制御モードとを比較する比較部と、を含むことが好ましい。
【００２５】
前記復号部は、前記第１複写制御情報と前記第２複写制御情報とが同一な場合、前記複写制御モードに対応する信号を出力し、前記第１複写制御情報と前記第２複写制御情報とが同一ではない場合、停止信号を発生させるのに、前記停止信号はＡＶストリームが再生されていない場合にはキー生成部と、ＡＶストリームが再生されている場合にはコンテンツ解釈部と伝達されるようにする制御部と、前記第１モード、前記第２モード及び前記第３モードに対応する信号に対してはコンテンツを復号するために前記停止信号に対しては復号キーを生成しないキー生成部と、復号キーを利用してコンテンツを復号し、前記第４モードに対応する信号に対しては復号されないコンテンツを出力し、前記停止信号に対してはコンテンツを復号しないコンテンツ解釈部と、を含むことが好ましい。
【００２６】
前記目的を達成するための本発明は、コンテンツ情報領域とコンテンツ領域とを含むＡＶストリームを受信する受信手段と；前記ＡＶストリームを処理する処理手段と；前記コンテンツ情報領域の複写制御情報が変更されたか否かを決定する決定手段と；を含むことが好ましい。
【００２７】
前記処理手段は、前記複写制御情報が変更された場合、前記ＡＶストリームを処理しないことが好ましい。
前記処理手段は、前記コンテンツ情報領域の複写制御情報が変更された場合に、前記コンテンツ情報領域の複写制御情報と前記コンテンツ領域の複写制御情報との中で優先順位（Ｐｒｉｏｒｉｔｙ）が高い複写制御情報を利用して前記ＡＶストリームを処理することが好ましい。
【００２８】
前記目的を達成するための本発明によるＡＶストリーム処理システムは、第１複写制御情報を含むＡＶコンテンツ情報領域と第２複写制御情報を含むＡＶコンテンツ領域とを含むＡＶストリームを受信するための受信手段と；前記第１複写制御情報と前記第２複写制御情報とを抽出して、両情報が同一であるか否かを判別するための判別手段と；前記ＡＶストリームを処理する処理手段と；を含む。
【００２９】
前記目的を達成するための本発明によるＡＶストリーム処理システムは、第１複写制御情報を含むＡＶコンテンツ情報領域と前記第２複写制御情報を含むＡＶコンテンツ領域とを含むＡＶストリームを受信するＡＶストリーム入力部と；前記第１複写制御情報と前記第２複写制御情報とを比較する決定部と；前記第１複写制御情報と前記第２複写制御情報とが同一ではない場合に、前記第１複写制御情報と前記第２複写制御情報との中で優先順位（Ｐｒｉｏｒｉｔｙ）が高い複写制御情報を利用して前記ＡＶストリームを処理したり処理しない復号部と；を含む。
【００３０】
前記目的を達成するための本発明によるＡＶストリーム処理システムは、第１複写制御情報を含むＡＶコンテンツ情報領域と第２複写制御情報を含むＡＶコンテンツ領域とを含むＡＶストリームを受信する受信部と；前記第１複写制御情報を前記第２複写制御情報と比較して、変更されたか否かを決定する決定部と；前記ＡＶストリームを処理する復号部と；を含む。
【００３１】
前記目的を達成するための本発明によるＡＶストリームの複写制御のための装置は、コンテンツ情報領域とコンテンツ領域とを含むＡＶストリームから前記コンテンツ情報領域の第１複写制御情報と前記コンテンツ領域の第２複写制御情報とを抽出する抽出部と；前記第１複写制御情報と前記第２複写制御情報とが同一であるか否かを決定する決定部と；を含む。
【００３２】
前記決定部は、前記第１複写制御情報に対応する複写制御モード情報と前記第２複写制御情報に対応する複写制御モード情報とが同一であるか否かを決定することが好ましい。
前記決定部は、前記第１複写制御情報が前記第２複写制御情報と比較して、変更されたか否かを決定することが好ましい。
【００３３】
前記目的を達成するための本発明によるＡＶストリームの複写制御のための装置は、ＡＶストリームコンテンツ情報領域から複写制御情報を抽出する抽出部と、前記複写制御情報が変更されたか否かを決定する決定部と、を含む。
【００３４】
前記目的を達成するための本発明によるＡＶストリームの複写制御のための装置は、コンテンツ情報領域とコンテンツ領域とを含むＡＶストリームから前記コンテンツ情報領域の第１複写制御情報と前記コンテンツ領域の第２複写制御情報とを抽出する抽出部と；前記第１複写制御情報と前記第２複写制御情報とが同一であるか否かを決定するために、前記第１複写制御情報と前記第２複写制御情報とを比較する比較部と；を含む。
【００３５】
前記目的を達成するための本発明によるＡＶストリームの複写制御のための装置は、コンテンツ情報領域とコンテンツ領域とを含むＡＶストリームから前記コンテンツ情報領域の第１複写制御情報と前記コンテンツ領域の第２複写制御情報とを抽出する抽出部と；前記第１複写制御情報と前記第２複写制御情報とが同一ではない場合、前記第１複写制御情報と前記第２複写制御情報との間に優先順位（Ｐｒｉｏｒｉｔｙ）を設定する決定部と；を含む。
【００３６】
前記決定部は、前記第１複写制御情報と前記第２複写制御情報とが同一ではない場合、前記第１複写制御情報と前記第２複写制御情報との中でさらに強く複写を防止するようにする複写制御情報を決定することが好ましい。
前記決定部は、前記第１複写制御情報と前記第２複写制御情報とが同一ではない場合、前記ＡＶストリームを処理するための情報として前記第１複写制御情報を設定することが好ましい。
前記決定部は、前記第１複写制御情報と前記第２複写制御情報とが同一ではない場合、前記ＡＶストリームを処理するための情報として前記第２複写制御情報を設定することが好ましい。
【００３７】
前記目的を達成するための本発明によるＡＶストリームを処理する方法は、第１複写制御情報を含むＡＶコンテンツ情報領域と第２複写制御情報を含むＡＶコンテンツ領域とを含むＡＶストリームを受信する段階と；前記第１複写制御情報と前記第２複写制御情報とが同一であるか否かを決定する段階と；前記決定段階により決定された結果にしたがって前記ＡＶストリームを処理する段階と；を含む。
【００３８】
前記決定段階は、前記第１複写制御情報の複写制御モード情報と前記第２複写制御情報の複写制御モード情報とが同一であるか否かを決定する段階を含むことが好ましい。この時、前記処理段階は、前記第１複写制御情報と前記第２複写制御情報とが同一である場合、前記複写制御モード情報にしたがって前記ＡＶストリームを処理する段階を含むことが好ましい。
【００３９】
前記処理段階は、前記第１複写制御情報と前記第２複写制御情報とが同一ではない場合、前記ＡＶストリームのコンテンツを復号しない段階を含むことが好ましい。
前記処理段階は、前記第１複写制御情報と前記第２複写制御情報とが同一ではない場合、ＡＶストリームのコンテンツを復号するための復号キーを生成しない段階を含むことが好ましい。
【００４０】
前記処理段階は、前記第１複写制御情報と前記第２複写制御情報とが同一ではない場合、前記第１複写制御情報と前記第２複写制御情報との中でさらに強く複写を防止するようにする複写制御情報を利用して前記ＡＶストリームを処理する段階を含むことが好ましい。
前記処理段階は、前記第１複写制御情報と前記第２複写制御情報とが同一ではない場合、前記第１複写制御情報と前記第２複写制御情報との中でいずれか一つを利用して、前記ＡＶストリームを処理したり前記ＡＶストリームを処理しない段階を含むことが好ましい。
【００４１】
前記処理段階は、前記第１複写制御情報と前記第２複写制御情報とが同一ではない場合、前記ＡＶストリームが再生している場合には、前記ＡＶストリームのコンテンツを復号せず、前記ＡＶストリームが再生していない場合には、前記ＡＶストリームのコンテンツを復号するための復号キーを発生させない段階を含むことが好ましい。
前記ＡＶストリームの処理が禁止されることを示すメッセージを示す段階をさらに含むことが好ましい。
【００４２】
前記段階を行うための、コンピュータにより行われる命令を含むコンピュータ記録媒体であることが好ましい。
前記処理段階は、前記第１複写制御情報と前記第２複写制御情報とが同一ではない場合、前記第２複写制御情報を利用して前記ＡＶストリームコンテンツを処理することが好ましい。
前記処理段階は、前記第１複写制御情報と前記第２複写制御情報とが同一ではない場合、前記第１複写制御情報を利用して前記ＡＶストリームコンテンツを処理することが好ましい。
【００４３】
前記処理段階は、前記第１複写制御情報と前記第２複写制御情報とが同一ではない場合、前記第２複写制御情報が前記第１複写制御情報に対して、優先順位（Ｐｒｉｏｒｉｔｙ）を有するように設定する段階をさらに含み、前記処理段階は、前記第２複写制御情報を利用して前記ＡＶストリームのコンテンツを処理する段階であることが好ましい。
【００４４】
前記処理段階は、前記第１複写制御情報と前記第２複写制御情報とが同一ではない場合、前記第１複写制御情報が前記第２複写制御情報に対して、優先順位（Ｐｒｉｏｒｉｔｙ）を有するように設定する段階をさらに含み、前記処理段階は、前記第１複写制御情報を利用して前記ＡＶストリームのコンテンツを処理する段階であることが好ましい。
【００４５】
前記目的を達成するための本発明によるＡＶストリームの処理方法は、コンテンツ情報領域とコンテンツ領域とを含むＡＶストリームを受信する段階と、前記コンテンツ情報領域の複写制御情報が変更されたか否かを決定する段階及び前記決定段階により決定された結果にしたがってＡＶストリームを処理する段階と、を含む。
【００４６】
前記処理段階は、前記複写制御情報が変更された場合、前記ＡＶストリームを処理しない段階を含むことが好ましい。
前記処理段階は、前記コンテンツ情報領域の複写制御情報が変更された場合に、前記コンテンツ情報領域の複写制御情報と前記コンテンツ領域の複写制御情報との中で優先順位（Ｐｒｉｏｒｉｔｙ）が高い複写制御情報を利用して前記ＡＶストリームを処理する段階を含むことが好ましい。
前記段階を行うための、コンピュータにより行うことができる命令を含むコンピュータ記録媒体であることが好ましい。
【００４７】
前記目的を達成するための本発明によるＡＶストリームを処理する方法は、第１複写制御情報を含むＡＶコンテンツ情報領域と第２複写制御情報を含むＡＶコンテンツ領域とを含むＡＶストリームを受信する段階と；前記第１複写制御情報と前記第２複写制御情報とを比較する段階と；前記第１複写制御情報と前記第２複写制御情報とが同一ではない場合、前記第１複写制御情報と前記第２複写制御情報との順位（Ｐｒｉｏｒｉｔｙ）が高い複写制御情報に対応して前記ＡＶストリームを処理する段階と；を含む。
前記段階を行うための、コンピュータにより行うことができる命令を含むコンピュータ記録媒体であることが好ましい。
【００４８】
前記目的を達成するための本発明によるＡＶストリームを処理する方法は、第１複写制御情報を含むＡＶコンテンツ情報領域と第２複写制御情報を含むＡＶコンテンツ領域とを含むＡＶストリームを受信する段階と；前記第１複写制御情報が前記第２複写制御情報と比較して変更されたか否かを決定する段階と；前記決定段階により決定された結果にしたがってＡＶストリームを処理する段階と；を含む。
前記段階を行うための、コンピュータにより行うことができる命令を含むコンピュータ記録媒体であることが好ましい。
【００４９】
前記目的を達成するための本発明によるＡＶストリームを処理する方法は、コンテンツ情報領域とコンテンツ領域とを含むＡＶストリームから前記コンテンツ情報領域の第１複写制御情報と前記コンテンツ領域の第２複写制御情報とを抽出する抽出段階と；前記第１複写制御情報が前記第２複写制御情報が同一であるか否かを決定する段階と；を含む。
前記決定する段階は、前記第１複写制御情報に対応する複写制御モード情報と前記第２複写制御情報に対応する複写制御モード情報とが同一であるか否かを決定する段階であることが好ましい。
前記段階を行うための、コンピュータにより行うことができる命令を含むコンピュータ記録媒体であることが好ましい。
【００５０】
前記目的を達成するための本発明によるＡＶストリームを処理する方法は、ＡＶストリームのコンテンツ情報領域から複写制御情報を抽出する段階と；前記複写制御情報が変更された否かを決定する段階と；を含む。
前記決定段階は、前記コンテンツ情報領域の複写制御情報が前記ＡＶストリームのコンテンツ領域の複写制御情報と比較して変更されたか否かを決定する段階を含むことが好ましい。
前記段階を行うための、コンピュータにより行うことができる命令を含むコンピュータ記録媒体であることが好ましい。
【００５１】
前記目的を達成するための本発明によるＡＶストリームを処理する方法は、コンテンツ情報領域とコンテンツ領域とを含むＡＶストリームから前記コンテンツ情報領域の第１複写制御情報と前記コンテンツ領域の第２複写制御情報とを抽出する段階と；前記第１複写制御情報と前記第２複写制御情報とが同一であるか否かを決定するために、前記第１複写制御情報と前記第２複写制御情報とを比較する段階と；を含む。
前記段階を行うための、コンピュータにより行うことができる命令を含むコンピュータ記録媒体であることが好ましい。
【００５２】
前記目的を達成するための本発明によるＡＶストリームを処理する方法は、コンテンツ情報領域とコンテンツ領域とを含むＡＶストリームから前記コンテンツ情報領域の第１複写制御情報と前記コンテンツ領域の第２複写制御情報とを比較する段階と；前記第１複写制御情報と前記第２複写制御情報とが同一ではない場合、前記第１複写制御情報と前記第２複写制御情報との中で優先順位（Ｐｒｉｏｒｉｔｙ）を設定する段階と；を含む。
前記設定段階は、前記第１複写制御情報と前記第２複写制御情報との中でさらに強く複写を防止するようにする複写制御情報を利用して、前記ＡＶストリームを処理する段階を含むことが好ましい。
前記段階を行うための、コンピュータにより行うことができる命令を含むコンピュータ記録媒体であることが好ましい。
【００５３】
前記設定段階は、前記第１複写制御情報と前記第２複写制御情報とが同一ではない場合、前記ＡＶストリームを処理するための情報として、前記第１複写制御情報を設定する段階であることが好ましい。
前記設定段階は、前記第１複写制御情報と前記第２複写制御情報とが同一ではない場合、前記ＡＶストリームを処理するための情報として前記第２複写制御情報を設定する段階であることが好ましい。
【発明の効果】
【００５４】
前述したように、本発明によると、複製制御情報の変更によるコンテンツの不法複製を防止することができる手段を提供し、複写制御情報が含まれたＡＶストリームの貯蔵及び再生に使用される、全てのデジタル家電及び電子製品に容易に応用することができるので、コンテンツ保護に大きい効果を奏することができる。
【発明を実施するための最良の形態】
【００５５】
以下、添付した図面を参照して、本発明の実施形態によるＡＶストリームデータ複製防止のためのＡＶストリームの処理システム及び処理方法に対して具体的に説明する。
また、本発明をさらに容易に説明するために、以下では前記[表１]に示す、四つの複写制御情報状態及びそれぞれの複写制御情報状態に対応する２ビットの複写制御情報コードに例えて説明する。しかし、本発明の実施形態による複写制御情報状態は、前記四つの複写制御情報状態の中の一部であったり、四つ以上の複写制御情報状態を有することもできる。また、複写制御情報コードは、２ビット情報に限らず、複写制御情報状態を示す何れの形態のコードも可能である。また、第２複写制御情報は、前記図１に示すように、コンテンツフィールドのサーブユニットそれぞれに含まれた複写制御情報１３０であったり、サーブユニットそれぞれを示す複写制御情報であることもできる。
【００５６】
図３は本発明による複製防止のためのＡＶストリーム処理システムの構成の実施形態を示す例示図である。前記ＡＶストリームの処理システム３００は、ＡＶストリーム受信部３１０と、変調判別部３２０と、復号部３３０と、を含む。ＡＶストリーム受信部３１０は、ＡＶストリームを受信し、受信されたＡＶストリームを変調判別部３２０に伝達する。前記変調判別部３２０は、第１複写制御情報と第２複写制御情報とを比較して、この時両情報が異なる値を有する場合、ＡＶストリーム処理システム３００が既に設定された所定の基準にしたがってＡＶストリームを復号するか否かを決定する。また、第１複写制御情報と第２複写制御情報が同一の値を有する場合、復号部３３０は、複写制御情報に対応する復号化の過程を行う。
【００５７】
この時、複写制御情報の値が‘ｃｏｐｙ ｆｒｅｅ’である場合には、復号の必要がないので、復号部３３０は、ＡＶストリーム受信部３１０により受信されたＡＶストリームをそのままＡＶストリーム出力装置３４０に伝達する。また、前記複写制御情報の値が、‘ｎｏ ｍｏｒｅ ｃｏｐｙ ｏｒ ｃｏｐｙ ｎｅｖｅｒ’、‘ｃｏｐｙ ｆｒｅｅ ｂｕｔ ｅｎｃｒｙｐｔｅｄ’または‘ｃｏｐｙ ｏｎｅ ｇｅｎｅｒａｔｉｏｎ’である場合、復号部２３０は変調判別部３２０から第２複写制御情報及びキー生成のための他の情報を利用して復号キーを生成し、ＡＶコンテンツの復号後に、復号されたＡＶコンテンツをＡＶストリーム出力装置３４０、または貯蔵装置（図示せず）に電送する。ここで、前記キー生成のための他の情報は、キー生成のためランダム（ｒａｎｄｏｍ）に発生されたシード（ｓｅｅｄ）値、ＡＶ装置内に存在する共通キーまたは秘密キーの値、ＡＶコンテンツ貯蔵ミディーアによる共通キーまたは秘密キーの値を含む。
【００５８】
この時、ＡＶストリーム出力装置３４０は、復号されたＡＶストリームを記録することができる電気的なまたは工学的な記録媒体、貯蔵媒体、または復号されたＡＶストリームを示すことができるディスプレイ器機を含み、場合に応じて、前記復号部３３０は、前記出力装置３４０の代わりに有無線電送媒体を通じて復号されたＡＶコンテンツを電送することができる。
【００５９】
図４は本発明による複製防止のためのＡＶストリーム処理システムの構成の他の実施形態を示す例示図である。複製防止のためのＡＶストリーム処理システム４００は、ＡＶストリームを受信するＡＶストリーム受信部４１０と、ＡＶストリームに含まれた複写制御情報が変調されたか否かを判別する変調判別部４２０と、前記変調判別部４２０の判別結果にしたがってＡＶストリームの復号化の可否を決定し、復号キー生成部４４０に複写制御情報値に対応する復号命令を伝達する制御部４３０と、前記制御部４３０から復号命令を受信し、変調判別部４２０から受信した第２複写制御情報及びキー生成のための他の情報を利用して復号キーを生成する復号キー生成部４４０と、前記復号キー生成部４４０から復号キーが伝達されてＡＶコンテンツを復号し、復号されたＡＶコンテンツを各種の出力装置４６０に電送するコンテンツ解釈部４５０と、を含む。
【００６０】
複製防止のためのＡＶストリームの処理システム４００の具体的な動作は次の通りである。
ＡＶストリーム受信部４１０は、ＡＶストリームを受信して変調判別部４２０に伝達し、ＡＶストリームに含まれたＡＶコンテンツをコンテンツ解釈部４５０に伝達する。一方、制御部４３０は、外部から装置動作制御信号が入力され、前記装置動作制御信号は、該当ＡＶ器機がＡＶストリーム内のＡＶコンテンツを実行させるための制御信号、または前記ＡＶコンテンツを所定の貯蔵空間に複製するための制御信号等を含む。
【００６１】
変調判別部４２０は、ＡＶストリーム受信部４１０から前記伝達されたＡＶストリームの第１複写制御情報と第２複写制御情報を取出して、同一であるか否かを判別する。前記第１複写制御情報と第２複写制御情報が異なる場合、前記変調判別部４２０は、前記第１複写制御情報が変調されたと判断して、制御部４３０に情報の変調を知らせる信号を電送し、制御部４３０は、コンテンツ解釈部４５０に復号中止命令信号を電送することにより、ＡＶコンテンツが不法に複製されることを防止することができる。この時、制御部４３０は、復号キー生成部４４０に復号キー生成の中止命令を知らせる信号を電送することにより、復号キー自体が生成されないようにすることもできる。
【００６２】
また、他の実施形態による前記変調判別部４２０は、前記第１複写制御情報と第２複写制御情報が異なる場合、両複写制御情報の中で優先順位（ｐｒｉｏｒｉｔｙ）を設定して、順位の高い複写制御情報値にしたがって制御部４３０がＡＶストリームの復号の可否を決定するようにすることもできる。
即ち、第１複写制御情報と第２複写制御情報とが同一ではない場合、例えば、第１複写制御情報が‘１０’の値を有し、第２複写制御情報が‘１１’の値を有する場合に、前記変調判別部４２０は、前記第２複写制御情報に優先順位（Ｐｒｉｏｒｉｔｙ）を付与することにより、制御部４３０がＡＶストリームの復号を行わないことになる。本発明による実施形態において、表１に示している複写制御情報のコード値が大きいほど優先順位（Ｐｒｉｏｒｉｔｙ）を高く設定することができる。
【００６３】
また、変調判別部４２０で、前記第１複写制御情報と第２複写制御情報が同一である場合、変調判別部４２０は第１複写制御情報値を制御部４３０に伝達し、ＡＶストリームの第２複写制御情報とキー生成のための他の情報を復号キー生成部４４０に伝達する。ここで、前記キー生成のための他の情報は、キー生成のためランダム（ｒａｎｄｏｍ）に発生されたシード（ｓｅｅｄ）値、ＡＶ装置内に存在する共通キーまたは秘密キーの値、及びＡＶコンテンツ貯蔵用ミディーアによる共通キーまたは秘密キーの値を含む。
【００６４】
制御部４３０は、受信された前記第１複写制御情報を確認して、第１複写制御情報の値が‘ｃｏｐｙ ｆｒｅｅ’である場合には、復号の必要がないので、制御部４３０は既に受信したＡＶコンテンツをそのままＡＶストリーム出力装置４６０に伝達するようにコンテンツ解釈部４５０に命令する。また、前記第１複写制御情報が、‘ｎｏ ｍｏｒｅ ｃｏｐｙ ｏｒ ｃｏｐｙ ｎｅｖｅｒ’、‘ｃｏｐｙ ｆｒｅｅ ｂｕｔ ｅｎｃｒｙｐｔｅｄ’または‘ｃｏｐｙ ｏｎｅ ｇｅｎｅｒａｔｉｏｎ’である場合、制御部４３０は、復号キー生成部４４０に前記第１複写制御情報を伝達して、復号キー生成の権限を付与する。この時、復号キー生成部４４０は、変調判別部４２０から既に受信された第２複写制御情報とキー生成のための他の情報を利用して復号キーを生成して、コンテンツ解釈部４５０に伝達する。コンテンツ解釈部４５０は、制御部４３０から復号実行命令を受信し、復号キー生成部４４０から伝達された復号キーを利用して、ＡＶストリーム受信部４１０から既に受信したＡＶコンテンツを復号する。復号されたＡＶコンテンツは、ＡＶストリーム出力装置４６０に電送される。
【００６５】
ここで、ＡＶストリーム出力装置４６０は、復号されたＡＶストリームを記録することができる電気的なまたは光学的な記録媒体、貯蔵媒体、または復号されたＡＶストリームを示すことができるディスプレイ器機を含み、場合に応じて、コンテンツ解釈部４５０は、前記出力装置４６０の代わりに有無線電送媒体を通じて復号されたＡＶコンテンツを電送することもできる。
【００６６】
図５は本発明による複製防止のためのＡＶストリーム処理システムの構成の他の実施形態を示す例示図である。複製防止のためのＡＶストリーム処理システム５００は、ＡＶストリームを受信し、前記ＡＶストリームに含まれたＡＶコンテンツをコンテンツ解釈部５４０に電送するＡＶストリーム受信部５１０と、前記ＡＶストリーム受信部５１０から前記ＡＶストリームに含まれた第１複写制御情報が伝達されて、復号キー生成部５３０及びコンテンツ解釈部５４０に前記第１複写制御情報に対応する命令信号を伝達し、前記ＡＶストリーム受信部５１０から受信された第１複写制御情報を変調判別部５５０のＣＣＩ貯蔵部５５２に伝達する制御部５２０と、ＡＶストリーム受信部５１０からＡＶストリームに含まれた第２複写制御情報及び復号キーの生成のための他の情報を受信し、前記制御部５２０から復号キー生成の権限が付与されると、復号キーを生成してコンテンツ解釈部５４０に伝達する復号キー生成部５３０と、複写制御情報が変調されたか否かを判別する変調判別部５５０と、変調判別部５５０の内で前記制御部５２０からＡＶストリームに含まれた前記第１複写制御情報が伝達されて貯蔵されるＣＣＩ貯蔵部５５２と、変調判別部５５０内で前記復号キー生成部５３０からＡＶストリームに含まれた前記第２複写制御情報が伝達されて前記ＣＣＩ貯蔵部５５２に貯蔵されている第１複写制御情報値と比較して、複写制御情報が変調されたか否かを判別するＣＣＩ比較部５５４と、制御部５２０から復号命令を受信し、復号キー生成部５３０から復号キーを受信してＡＶストリーム受信部５１０から既に受信したＡＶコンテンツを復号した後、復号されたＡＶコンテンツを出力装置５６０に伝達するコンテンツ解釈部５４０と、を含む。
【００６７】
複製防止のためのＡＶストリームの処理システム５００の具体的な動作は次の通りである。
ＡＶストリーム受信部５１０は、ＡＶストリームの受信後、前記ＡＶストリームに含まれた第１複写制御情報を制御部５２０に伝達する。また、前記ＡＶストリーム受信部５１０は、前記ＡＶストリームに含まれた第２複写制御情報を復号キー生成部５３０に伝達し、前記ＡＶストリームに含まれたＡＶコンテンツをコンテンツ解釈部５４０に伝達する。
【００６８】
一方、制御部５２０は、外部から装置動作制御信号が入力される。ここで、ＡＶ装置の動作制御信号は、該当ＡＶ器機がＡＶストリーム内のＡＶコンテンツを実行させるための制御信号、またはＡＶコンテンツを所定の貯蔵空間に複製するための制御信号等を含む。前記制御部５２０は、前記ＡＶストリーム受信部５１０から受信した第１複写制御情報が‘ｃｏｐｙ ｆｒｅｅ’である場合、復号の必要がないので、コンテンツ解釈部５４０に既に伝達したＡＶコンテンツがそのままにＡＶストリーム出力装置５６０に伝達されるように命令する。
【００６９】
また、前記第１複写制御情報が、‘ｎｏ ｍｏｒｅ ｃｏｐｙ ｏｒ ｃｏｐｙ ｎｅｖｅｒ’、‘ｃｏｐｙ ｆｒｅｅ ｂｕｔ ｅｎｃｒｙｐｔｅｄ’または‘ｃｏｐｙ ｏｎｅ ｇｅｎｅｒａｔｉｏｎ’である場合、制御部５２０は、復号キー生成部５３０に前記第１複写制御情報を伝達して復号キー生成の権限を付与し、復号キー生成部５３０は、ＡＶストリーム受信部５１０から既に受信したＡＶストリームに含まれた第２複写制御情報及びキー生成のための他の情報を利用して復号キーを生成して、コンテンツ解釈部５４０に伝達する。ここで、前記キー生成のための他の情報は、キー生成のためランダム（ｒａｎｄｏｍ）に発生されたシード（ｓｅｅｄ）値、ＡＶ装置内に存在する共通キーまたは秘密キーの値、及びＡＶコンテンツ貯蔵用ミディーアによる共通キーまたは秘密キーの値を含む。
【００７０】
一方、ＣＣＩ比較部５５４は、前記復号キー生成部５３０から前記第２複写制御情報が伝達されて、前記ＣＣＩ貯蔵部５５２に含まれた第１複写制御情報値と比較して複写制御情報が変調されたか否かを判別し、その結果を制御部５２０に電送する。この時、前記第１複写制御情報と前記第２複写制御情報の値が異なると、前記第１複写制御情報が変調されたことを意味するので、制御部５２０は、コンテンツ解釈部５４０に復号禁止命令を電送し、コンテンツ解釈部５４０は、既に受信したＡＶコンテンツを復号せず、ＡＶストリーム処理装置５００は実行を中断する。この時、制御部５２０は、復号キー生成部５３０に復号キー生成の中止命令信号を電送することにより、復号キー自体が生成されないようにすることもできる。
【００７１】
また、他の実施形態による前記変調判別部４２０は、前記第１複写制御情報と前記第２複写制御情報が異なる場合、両複写制御情報の中で順位（ｐｒｉｏｒｉｔｙ）を設定して、順位の高い複写制御情報値にしたがって制御部５２０がＡＶストリームの復号可否を決定するようにすることもできる。
【００７２】
一方、前記第１複写制御情報値と第２複写制御情報値が同一であると判別された場合、その結果を制御部５２０に電送し、制御部５２０はコンテンツ解釈部５４０にＡＶストリーム受信部５１０から既に受信したＡＶストリームに含まれたＡＶコンテンツの復号命令を電送する。コンテンツ解釈部５４０は、制御部５２０から復号実行命令を受信し、復号キー生成部から伝達された復号キーを利用してＡＶストリーム受信部５１０から既に受信したＡＶコンテンツを復号する。復号されたＡＶコンテンツは、ＡＶストリーム出力装置５６０に電送される。この時、ＡＶストリーム出力装置５６０は、復号されたＡＶストリームを記録することができる電気的な光学的な記録媒体、貯蔵媒体、または復号されたＡＶストリームを示すことができるディスプレイ器機を含み、場合に応じて、前記コンテンツ解釈部５４０は前記出力装置５６０の代わりに、有無線電送媒体を通じて復号されたＡＶコンテンツを電送することもできる。
【００７３】
また、図５は変調判別部５６０のＣＣＩ比較部５５４が、第１複写制御情報と第２複写制御情報の比較結果を制御部５２０に電送し、その結果に対応する命令信号をコンテンツ解釈部５４０に伝達する過程を示しているが、他の実施形態として、前記ＣＣＩ比較部５５４が直接にコンテンツ解釈部５４０に命令を伝達することもできる。
【００７４】
図６は本発明の実施形態による複製防止のためのＡＶストリーム処理方法を示す処理フローチャートである。ＡＶストリームが入力されると、前記入力されたＡＶストリームを臨時貯蔵空間に貯蔵する（Ｓ６０５、Ｓ６１０）。次に、前記ＡＶストリームに含まれた第１複写制御情報と第２複写制御情報を取出し、両複写制御情報を比較する（Ｓ６１５）。
【００７５】
前記第１複写制御情報と前記第２複写制御情報が異なる場合については、図７Ａ及び図７Ｂでさらに詳しく説明する。
また、前記第１複写制御情報と前記第２複写制御情報が同一である場合（Ｓ６２０で「はい」）、前記複写制御情報の値に該当するプロセスを行う（Ｓ６２５）。
【００７６】
前記第１複写制御情報及び前記第２複写制御情報が‘ｃｏｐｙ ｆｒｅｅ’である場合、即ち前記第１複写制御情報及び第２複写制御情報の値が‘００’である場合には（Ｓ６２５で‘００’）、復号の必要がないので、すぐにＡＶストリームを複製する（Ｓ６３０）。
【００７７】
また、前記第１複写制御情報及び前記第２複写制御情報が‘ｃｏｐｙ ｆｒｅｅ ｂｕｔ ｅｎｃｒｙｐｔｅｄ’または‘ｃｏｐｙ ｏｎｅ ｇｅｎｅｒａｔｉｏｎ’である場合、即ち前記第１複写制御情報及び第２複写制御情報の値が‘０１’または‘１０’である場合には（Ｓ６２５で‘０１’または‘１０’）、前記復号キーを生成してＡＶストリームを復号する（Ｓ６３５）。
【００７８】
また、前記第１複写制御情報及び前記第２複写制御情報が‘ｎｏ ｍｏｒｅ ｃｏｐｙ ｏｒ ｃｏｐｙ ｎｅｖｅｒ’である場合、即ち第１複写制御情報及び前記第２複写制御情報の値が‘１１’である場合には（Ｓ６２５で‘１１’）、現在にＡＶストリームが再生中であるか否かを検査し（Ｓ６４０）、再生中である場合には（Ｓ６４０で「はい」）、コンテンツ複製のためのＡＶストリームを復号しない（Ｓ６４５）。しかし、ＡＶストリームが再生中でなければ（Ｓ６４０で「いいえ」）、コンテンツ複製のための復号キーを生成しない（Ｓ６５０）。その後、ＡＶストリーム複製が禁止されて、複製が不可能であるというメッセージをディスプレイ手段（図示せず）を通じて提供する（Ｓ６５５）。
【００７９】
図７Ａ及び図７Ｂは、第１複写制御情報と第２複写制御情報が、異なる場合のＡＶストリームデータの複製制御方法を示した一実施形態の処理フローチャートである。
図７Ａは、ＡＶコンテンツの無条件的に復号を行わない過程を示しており、図７Ｂは第１複写制御情報と第２複写制御情報の中で順位（ｐｒｉｏｒｉｔｙ）を設定して、順位の高い複写制御情報の値にしたがってＡＶストリームの複製可否が決定される過程を示している。
【００８０】
図７Ａに示すように、第１複写制御情報と第２複写制御情報が異なる場合、複製対象であるＡＶストリームが再生中であるか否かを確認する（Ｓ７０５）。ＡＶストリームが再生中である場合には（Ｓ７０５で「はい」）、既に復号キーが生成された状態であるので、前記復号キーを利用した復号プロセスを行わず（Ｓ７１０）、前記ＡＶストリームが再生されない場合には（Ｓ７０５で「いいえ」）、復号キーを生成しない（Ｓ７１５）。その後、ＡＶストリーム複製が禁止されて、複製が不可能であるというメッセージをディスプレイ手段（図示せず）を通じて提供する（Ｓ７２０）。
【００８１】
また、図７Ｂに示すように、第１複写制御情報と第２複写制御情報が異なる場合、いずれの複写制御情報の順位が高く設定されたかを検査して、高い順位の複写制御情報を‘Ｐｒｉｏｒｉｔｙ_ＣＣＩ_ｉｎｆｏ’に設定する（Ｓ７５０、Ｓ７５２、Ｓ７５４）。
【００８２】
ここで、‘Ｐｒｉｏｒｉｔｙ_ＣＣＩ_ｉｎｆｏ’の値が‘００’である場合には（Ｓ７５６で‘００’）、‘ｃｏｐｙ ｆｒｅｅ’であるので、ＡＶストリームが暗号化されず、自由に複製することができる。したがって、このような場合には、復号の必要がないので、すぐにＡＶストリームを複製する（Ｓ７５８）。
【００８３】
また、‘Ｐｒｉｏｒｉｔｙ_ＣＣＩ_ｉｎｆｏ’の値が‘０１’または‘１０’である場合には（Ｓ７５６で‘０１’または‘１０’）、‘ｃｏｐｙ ｆｒｅｅ ｂｕｔ ｅｎｃｒｙｐｔｅｄ’または‘ｃｏｐｙ ｏｎｅ ｇｅｎｅｒａｔｉｏｎ’の場合であるので、復号キーを生成しＡＶストリームを復号する（Ｓ７６０）。この時、‘１０’の場合には、一回の複製後には、複製が禁止されるので、該当複写制御情報値が‘１１’に変更される。
【００８４】
また、前記‘Ｐｒｉｏｒｉｔｙ_ＣＣＩ_ｉｎｆｏ’の値が‘１１’である場合には（Ｓ７５６で‘１１’）‘ｎｏ ｍｏｒｅ ｃｏｐｙ ｏｒ ｃｏｐｙ ｎｅｖｅｒ’の場合であるので、絶対に複製をすることができない。このような場合には、現在にＡＶストリームが再生中であるか否かを検査して（Ｓ７６２）、再生中である場合には（Ｓ７６２で「はい」）、コンテンツの複製のためのＡＶストリームの復号を行わない（Ｓ７６４）。しかし、ＡＶストリームが再生中ではなければ（Ｓ７６２で「いいえ」）、コンテンツ複製のための復号キーを生成しない（Ｓ７６６）。その後、ＡＶストリームの複製が禁止されて、複製が不可能であるというメッセージをディスプレイ手段（図示せず）を通じて提供する（Ｓ７６８）。
【００８５】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【図面の簡単な説明】
【００８６】
【図１】ＡＶストリームの概略的な構造を示した例示図である。
【図２】コンテンツの不法複製を防止するための従来のＡＶストリームの処理システムの構成を示す例示図である。
【図３】本発明によるコンテンツの不法複製を防止するためのＡＶストリームの処理システムの構成の第１実施形態を示す例示図である。
【図４】本発明によるコンテンツの不法複製を防止するためのＡＶストリームの処理システムの構成の第２実施形態を示す例示図である。
【図５】本発明によるコンテンツの不法複製を防止するためのＡＶストリームの処理システムの構成の第３実施形態を示す例示図である。
【図６】本発明によるコンテンツの不法複製を防止するためのＡＶストリームの処理システムの方法を示す処理フローチャートである。
【図７Ａ】本発明による第１複写制御情報と第２複写制御情報とが、異なる場合のＡＶストリームデータ複製制御方法を示す処理フローチャートである。
【図７Ｂ】本発明による第１複写制御情報と第２複写制御情報とが、異なる場合のＡＶストリームデータ複製制御方法を示す処理フローチャートである。
【符号の説明】
【００８７】
５００    複製防止のためのＡＶストリーム処理システム
５１０    ＡＶストリーム受信部
５２０    制御部
５３０    復号キー生成部
５４０    コンテンツ解釈部
５５０    変調判別部
５５２    ＣＣＩ貯蔵部
５５４    ＣＣＩ比較部
【図１】
2004364314.tif 000004
【図２】
2004364314.tif 000005
【図３】
2004364314.tif 000006
【図４】
2004364314.tif 000007
【図５】
2004364314.tif 000008
【図６】
2004364314.tif 000009
【図７Ａ】
2004364314.tif 000010
【図７Ｂ】
2004364314.tif 000011